(57)【要約】【課題】特別なセンサ取付位置の確保が必要なく、簡易な加工で取付可能な安価な装置を提供することにある。【解決手段】かごまたは乗場の出入口の上枠１に取り付けられるとともに、上記出入口の縦枠２に沿って下方へ向け照射するビーム４により物体を検知し出力するセンサ１０を設けた出入口安全装置において、一面に上記センサ１０を取り付け、他面に上記上枠１に固定する固着体を有する縦断面Ｌ字状のケース１１と、上記固着体が設けられる上記他面の対向する面に開口部を確保する横断面Ｃ字状のカバー体１２とで構成され、上記固着体は、中空ボルト１３と、取付板体に設けた穴１１ａと、上記上枠に設けた穴１ａを介して、上記中空ボルト１３と属結する挟み固定式アンカー１４とで構成したことを特徴とする。【選択図】図１
2009023798.tif 000002
【特許請求の範囲】
【請求項１】
かごまたは乗場の出入口の上枠部に取り付けられるとともに、上記出入口の縦枠に沿って下方へ向け照射するビームにより物体を検知し出力するセンサを設けた出入口安全装置において、一面に上記センサを取り付け、他面に上記上枠部に固定する固着体を有する縦断面Ｌ字状の取付板体と、上記固着体が設けられる上記他面の対向する面に開口部を確保する横断面Ｃ字状のカバー体とで構成されていることを特徴とする出入口安全装置。
【請求項２】
請求項１記載の出入口安全装置において、上記固着体は、中空のボルトと、取付板体に設けた穴と、上記上枠に設けた穴を介して、上記中空のボルトと螺結する挟み固定式アンカーとで構成されていることを特徴とする出入口安全装置。
【請求項３】
請求項１記載の出入口安全装置において、上記固着体は、取付板体に固定した中空のねじ体と上記上枠に設けた穴を介して、上記中空のねじ体と螺合するナットとで構成されていることを特徴とする出入口安全装置。
【請求項４】
請求項１記載の出入口安全装置において、上記固着体を固着する穴を上記上枠部に設け、上記穴の中心から縦枠までの寸法は、少なくとも上記固着体の中心から上記カバー体側面までの寸法としたことを特徴とする出入口安全装置。
【請求項５】
請求項１または請求項５記載の出入口安全装置において、上記センサが光センサのとき、上記カバー体の開口部にアクリルカバーを設けたことを特徴とする出入口安全装置。
【発明の詳細な説明】
【技術分野】
【０００１】
本発明は、エレベーターの出入口において戸袋への引き込まれを防止する出入口安全装置に関する。
【背景技術】
【０００２】
この種の装置としては、出入口上枠内にセンサを設け、戸袋付近の物体の有無を検出する構成としたものが知られている（特許文献１参照）。
【０００３】
また出入口上枠内両隅角部と縦枠下部内に設けた投光器、受光器を検出ビームで交差して結び、その間のドア近傍の物体の有無を検出する構成としたものが知られている（特許
文献２参照）。
【特許文献１】特開平１０−２６５１５７号公報
【特許文献２】実開昭５３−４９８６８号公報
【発明の開示】
【発明が解決しようとする課題】
【０００４】
上記従来の技術では、上枠内及び縦枠内に装置を設けるために、既に設置されているエレベーターに対し装置を後付けする場合、投光部・受光部を露出するための大きなセンサ用窓部の加工、センサ取付位置の確保及び固定手段の追加をする必要があり、作業時間が多くかかるという問題があった。
【０００５】
センサ用窓部の加工においては、投光部・受光部を露出するための角穴またはこれを直径とする大きな丸穴を加工する必要があり、角穴を加工する際にはまず複数個の丸穴を加工し、その後工具を用いて角穴に加工する必要があった。更に、加工においては利用者の目に触れる意匠面ということもあり、意匠性の良い、また精度の高い加工が要求されるため、加工が難しいといった問題点があった。
【０００６】
本発明の目的は、簡易な加工で短時間で取付可能な装置を提供することにある。
【課題を解決するための手段】
【０００７】
本発明は上記の目的を達成するため発明したもので、請求項１に記載の発明は、かごまたは乗場の出入口の上枠部に取り付けられるとともに、上記出入口の縦枠に沿って下方へ向け照射するビームにより物体を検知し出力するセンサを設けた出入口安全装置において、一面に上記センサを取り付け、他面に上記上枠部に固定する固着体を有する縦断面Ｌ字状の取付板体と、上記固着体が設けられる上記他面の対向する面に開口部を確保する横断面Ｃ字状のカバー体とで構成したことを特徴とし、請求項２に記載の発明は、上記固着体は、中空のボルトと、取付板体に設けた穴と、上記上枠に設けた穴を介して、上記中空のボルトと螺結する挟み固定式アンカーとで構成されていることを特徴とし、請求項３に記載の発明は、上記固着体は、取付板体に．固定した中空のねじ体と上記上枠に設けた穴を介して、上記中空のねじ体と螺合するナットとで構成されていることを特徴とし、請求項４に記載の発明は、上記固着体を固着する穴を上記上枠部に設け、上記穴の中心から縦枠までの寸法は、少な＜とも上記固着体の中心から上記カバー体側面までの寸法としたことを特徴とし、請求項５に記載の発明は、上記センサが光センサのとき、上記カバー体の開口部にアクリルカバーを設けたことを特徴とする。
【発明の効果】
【０００８】
本発明は、上記の構成であるから、すでに設置されているエレベーターに対して、出入口上枠に投光部・受光部を露出させる角穴または大きな穴をあけることなく、配線穴と取付固定穴を兼ねる所定径の丸穴を１箇所あけるだけで、また戸駆動機器が多く納められている枠内に上部からの作業を必要とせず、下面側からの作業で、安全装置を後付けすることができ、作業性の向上、作業時間の短縮を図ることができる。
【発明を実施するための最良の形態】
【０００９】
以下、本発明の一実施形態に係わる出入口安全装置を図１〜図４に基づき説明する。
【００１０】
図１は出入口安全装置の取付方法を示した説明図である。また、図２はエレベーターの出入口の戸とそれを囲む上枠、縦枠と、出入口上方戸袋付近に出入口安全装置を取り付けた全体図である。また、図３は出入口安全装置を取り付けた状態の正面図である。また、図４は図３と別の取付方法を示した正面図である。
【００１１】
かごまたは乗場の出入口は上枠１、縦枠２と、その奥にあって横動する戸３で構成する。
【００１２】
出入口上方の戸袋付近に下方に向けて照射したビーム４により物体を検出するセンサ１０を取り付ける。
【００１３】
センサ１０は縦断面Ｌ字状のケース１１の一面に固定され、上記ケース１１と図示しない取付ボルトで螺結された横断面Ｃ字状のカバー１２によって覆われている。上記ケース１１のセンサ１０取付面の他面に儲けられた穴１１ａと、上枠１に設けられた穴１ａに、中空のボルト１３と、挟み固定式アンカー１４を通し、上記中空ボルト１３を回すことで上記挟み固定式アンカー１４が上記上枠１内面で広がり、上記ケース１１と上記上枠１を挟み込むので、上記ケース１１と上記上枠１を固定する。上記上枠１に設けられた穴１ａの中心と縦枠２の寸法は、上記ケース１１に設けられた穴１１ａの中心と上記カバー１２側面の寸法としている。また、上記センサ１０のケーブル１５は上記中空ボルト１３を通り上記上枠１１内に配線する構成となっている。上記カバー１２下面は開口されており、アクリルカバー１６で覆われている。
【００１４】
このような構造としたので、すでに設置されているエレベーターに対して、図示しない戸駆動機器が多く納められている上枠１内に上記センサ１０取付位置を確保するための加工を行うことなく、また、出入口上枠１下面に上記センサ１０の投光部・受光部を露出させる角穴または大きな穴を加工することなく、配線穴と取付固定穴を兼ねる所定径の丸穴１ａの加工だけで安全装置を後付けすることができる。また、戸駆動機器が多く納められており、作業性の悪い上枠１内からの作業を必要とせず、外側からの作業で、安全装置を容易に後付けすることができ、作業性の向上、作業時間の短縮を図ることができる。
【００１５】
また、上記カバー１２下面のアクリルカバー１６はブルースモークやブラウンスモークなどの色付のものを用いれば、下側からセンサ１０が見えることなく、傘でつつくなどのいたずらを防止することができる。
【００１６】
また、上記上枠１に設けられた穴１ａの中心から縦枠２までの寸法Ｘを上記ケース１１に設けられた穴１１ａの中心から上記カバー１２側面までの寸法Ｙとしており、上記カバー１２側面と縦枠２側面は取付後に接する構成としているため、取付後の廻り止めを別途設ける必要がない。
【００１７】
上記カバー１２側面にゴム製の板１７を設ければ、既設縦枠２に傷がつくことを防止でき、意匠性を損なうことなく取付、取外しが可能である。
【００１８】
また、上記ケース１１に穴または溝１８を設けることにより、取付の際、この穴または溝にドライバーなどを差込むことで、廻り止め及び回転方向の位置決めを容易に行うことができる。
【００１９】
尚、本実施形態では挟み固定式アンカー１４による取材方法としたが、ケース１１のセンサ１０取付面の他面に穴１１ａを描け、穴１１ａと中空部が通るよう溶接した中空のねじ体１９と、上記上枠に設けた穴１ａを介して、上記ねじ体１９と羅結するナット２０により、挟み固定式アンカー１４を用意することなく取り付けることができる。
【００２０】
また、図示しないが、ケース１１の取付に複数個のブラインドリベットを使用すれば、穴あけ箇所は複数となるが、上記センサ１０の投光部・受光部を露出させる角穴または大きな穴をあけることなく、また特別な中空ボルト１３または中空ねじ１９を用意することなく、廻り止めも不要となり、簡易で安価な構成で取り付けることができる。
【００２１】
また、本実施形態では光センサを使用しているが、超音波センサを用いても同様の効果を得ることができる。この場合はセンサの精度を妨げる虞があるため上記アクリルカバー１６を外して取り付ければよい。
【００２２】
また、図２〜図４では出入口に向かって右側の戸の図を示しているが、左側の戸においても同様の効果があることは明らかであり、説明を省略する。また、図１では両開きの出入口を示しているが、片開きの戸袋部においても同様の効果を得ることができる。
【図面の簡単な説明】
【００２３】
【図１】本発明の一実施形態に係わる出入口安全装置の取付方法を示した説明図である。
【図２】図１を取り付けた出入口の全体図である。
【図３】図１の正面図である。
【図４】別の一実施形態に係わる正面図である。
【符号の説明】
【００２４】
１  上枠
１ａ  上枠に設けられた穴
２  縦枠
３  戸
４  検出ビーム
１０  センサ
１１  ケース
１１ａ  ケースに設けられた穴
１２  カバー
１３  中空ボルト
１４  挟み固定式アンカー
１５  ケーブル
１６  アクリルカバー
１７  ゴム板
１８  廻り止め穴
１９  中空ねじ体
２０  ナット
【図１】
2009023798.tif 000003
【図２】
2009023798.tif 000004
【図３】
2009023798.tif 000005
【図４】
2009023798.tif 000006